(57)【要約】      （修正有）【課題】携帯性が非常に好適であると共に、長期的な耐用性をも兼ね備える携帯用テープ貼り具を提供する。【解決手段】複数枚の粘着テープ２を、各々が剥離可能な状態で積層すると共に、各粘着テープ２を、剥離部分Ｆと非剥離部分Ｒとに隔てる切取線４を設け、非剥離部分Ｒには、通し孔３を備えている。【選択図】図１
0003101141.tif 000002
【実用新案登録請求の範囲】
【請求項１】
複数枚の粘着テープ（２）を、各々が剥離可能な状態で積層すると共に、各粘着テープ（２）を、剥離部分（Ｆ）と非剥離部分（Ｒ）とに隔てる切取線（４）を設け、
前記非剥離部分（Ｒ）には、通し孔（３）を備えていることを特徴とする携帯用テープ貼り具。
【請求項２】
前記通し孔（３）は、補強部材（８）を備えていることを特徴とする請求項１記載の携帯用テープ貼り具。
【請求項３】
前記各粘着テープ（２）の剥離部分（Ｆ）における少なくとも一つの角には、非粘着部（５）を有していることを特徴とする請求項１又は２記載の携帯用テープ貼り具。
【請求項４】
前記各粘着テープ（２）には、当該各粘着テープ（２）の残枚数を示す表示手段（６）を備えていることを特徴とする請求項１、２又は３記載の携帯用テープ貼り具。
【請求項５】
前記各粘着テープ（２）の裏面側には、硬質の板体（１１）を備えていることを特徴とする請求項１、２、３又は４記載の携帯用テープ貼り具。
【考案の詳細な説明】
【技術分野】
【０００１】
本考案は、床や衣類に付着した埃の除去や、或いは段ボール箱の梱包等に使用される携帯用テープ貼り具に関するものである。
【背景技術】
【０００２】
一般に粘着テープは、帯状をなすビニルシート（剥離面）の一面側に粘着面を備えたものである。そして前記粘着テープは、例えば２部材同士の接合や、或いは梱包等に幅広く利用されており、その利用方法の一つとして、衣類やカーペット等の埃を取るものもあった。この具体例としては特開平１０−３２３３２１号公報があり、この埃取り具は、複数枚の剥離紙の一辺側を綴り、さらに、前記各剥離紙の一面側において、該剥離紙よりも僅かに面積の小さな粘着テープを貼り付けたものであり、使用時には、剥離紙から粘着テープを剥がし、衣服における埃の付着した箇所に粘着面を何度も押し当てるものであった。
【特許文献１】特開平１０−３２３３２１号公報（１頁目、図１）
【考案の開示】
【考案が解決しようとする課題】
【０００３】
前述の埃取り具においては、使用者が該埃取り具を携帯しながら他の清掃作業等を行うことが想定され、通常、未使用時には衣服のポケット等に無造作に押し込まれていた。このことから、いざ埃取り具を使用する場合は、その都度ポケットから前記埃取り具を取り出して、剥離紙から粘着テープを引き剥がさなければならず、これが非常に煩わしいものであった。しかも、前記埃取り具がポケットに押し込まれた場合には、各粘着テープ間のそれぞれに剥離紙を介していることで、例えるなら日捲りカレンダーのようにパラパラと拡がり、これが無造作に押し込まれれば、前記ポケットの中でクシャクシャと変形する不都合もあった。
【０００４】
本考案は上記課題を鑑みて考案されたものであり、携帯性が非常に好適であると共に、長期的な耐用性をも兼ね備える携帯用テープ貼り具を提供することにある。
【課題を解決するための手段】
【０００５】
本考案のうち請求項１記載の考案は、複数枚の粘着テープを、各々が剥離可能な状態で積層すると共に、各粘着テープを、剥離部分と非剥離部分とに隔てる切取線を設け、前記非剥離部分には、通し孔を備えていることを特徴とする。
【０００６】
粘着テープは、粘着面と剥離面とが表裏一体に形成されたものであればよい。また剥離部分及び非剥離部分とは、粘着テープを平面視した場合、該テープを切取線によって左右に分断し、このうち引き剥がして使用する左右いずれかの側を剥離部分、そして、この剥離部分を引き剥がした後に、通し孔とともに残る側を非剥離部分とするものである。さらに通し孔は、紐に限らず、例えばフック等の掛け金具の先端部を通すこともできる。また、通し孔の形状・孔径についても限定するものではなく、例えば丸形、多角形等にしてもよい。さらに切取線は例えば、ミシン線や切欠等を全て含んだ概念であり、粘着テープの剥離部分を非剥離部分から容易に切り離せる手段であればよい。
【０００７】
このように形成すると、通し孔に通した紐を、衣服や掃除機等の他の清掃器具に結び付けたり、或いは前記通し孔に、衣服や清掃器具などに取り付けた掛け金具を引掛けることで、本テープ貼り具を吊り下げられる。さらに衣服や清掃器具から吊り下げた本テープ貼り具において、使用者は表面側にある一枚の粘着テープの剥離部分を非剥離部分から切り取り、この切り取った剥離部分を対象物に使用する。
【０００８】
本考案のうち請求項２記載の考案は、前記通し孔には、補強部材を備えているので、使用時において紐が通し孔の内周側に強く接触しそうになっても、補強部材によりガードされ、各粘着テープが擦り切れることがない。
ここで補強部材は、紐を通すための孔を確保した状態で該孔の内周側全体を保護できるものであればよく、具体的には鳩目の両端をそれぞれ潰して鍔状にしたもの等を使用する。また補強部材に鳩目を適用すれば、各粘着テープ間の不意な剥離を防止する機能も付与される。
【０００９】
本考案のうち請求項３記載の考案は、前記粘着テープの剥離部分における少なくとも１つの角には、非粘着部を有しているので、この非粘着部を使用者が摘んで非剥離部分から剥離部分を剥がすことによって、粘着テープを容易に取り出せる。
【００１０】
非粘着部とは、使用者の手等に接着しないものであればよく、例えば、各粘着テープの粘着面側の一角に、三角形状をなす紙製のツマミを貼り付けたり、或いは、当該各粘着テープの一角を折り曲げ、該テープの粘着面同士を張り合わせて、該テープの両面を非粘着面としたもの等が挙げられる。
【００１１】
本考案のうち請求項４記載の考案は、前記各粘着テープには、当該各粘着テープの残枚数を示す表示手段を備えているので、使用者は作業の種類に応じて予め粘着テープの残存数を知ることができる。
【００１２】
表示手段としては、使用者がテープ貼り具における現在の粘着テープの残枚数を容易に把握できるものであればよいから、例えば、前述した非粘着部に残枚数を示す数字を印刷したり、或いは、粘着テープの剥離面側の全体に残枚数を示す数字を印刷してもよい。
【００１３】
本考案のうち請求項５記載の考案は、前記各粘着テープの裏面側には、硬質の板体を備えているので、携帯時における使用者の衣服との強い接触や、外からの衝撃等から各粘着テープを保護できる。
【００１４】
ここで裏面側とは、使用時において粘着テープを剥離する側を表面側とし、非剥離側、つまりは携帯時において使用者の身体に接触する側を裏面側とするものである。また硬質の板体は、該板体に対して、本テープ貼り具携帯時の揺動に伴う衣服への衝撃程度の外力が加わっても、各粘着テープを保護できるものであればよいから、例えば、樹脂板や或いは厚手のボール紙等を使用する。
【考案の効果】
【００１５】
本考案のうち請求項１記載の考案によれば、例えば、本テープ貼り具を紐によって衣服に括り付けることで、使用毎に衣服のポケットの中から取り出さなくてもよく、しかも、使用者の両手を常に空けることができるので、効率的な作業を行なえる。
【００１６】
本考案のうち請求項２記載の考案によれば、請求項１記載の考案の効果に加えて、本テープ貼り具の携帯時に、通し孔に通された紐や掛け金具等によって粘着テープが擦り切れることがなく、該粘着テープの不意な裂け等を防止できる。
【００１７】
本考案のうち請求項３記載の考案によれば、請求項１及び２記載の考案の効果に加えて、各粘着テープを一層剥がし易くなり、より好適な使用状態となる。
【００１８】
本考案のうち請求項４記載の考案によれば、請求項１、２及び３記載の考案の効果に加えて、使用者は予め粘着テープの残枚数を確認できることにより、作業の状況と照らし合わせて、予備のテープ貼り具を携帯するかの判断を事前に行える。
【００１９】
本考案のうち請求項５記載の考案によれば、請求項１、２、３及び４記載の考案の効果に加えて、携帯時における粘着テープの保護をより一層確実に行なえる。
【考案を実施するための最良の形態】
【００２０】
ここで、本考案の携帯用テープ貼り具の具体的な実施形態を各図面に基づいて説明する。
本テープ貼り具は図１と図２のように、まず、剥離層９と粘着層１０とが一体的に重なり且つ方形をなす計５０枚の粘着テープ２を積層に重ね、さらに、各粘着テープ２の長手側の一辺寄りの箇所において、短手方向に沿ってミシン線４を入れてある。そして、前記各粘着テープ２のミシン線４で隔てられた各部分（これを剥離部分Ｆ、非剥離部分Ｒとする）のうち、非剥離部分Ｒの中央には、各粘着テープ２の厚み方向に貫通する通し孔３を備え、さらに該通し孔３には、中央に貫通孔を有し且つ筒の両端側をそれぞれ鍔状に潰して抜け出し不能とした鳩目８で補強してある。
尚、粘着テープ２の枚数については特に限定するものではなく、極端に枚数が少なすぎず且つ携帯性を損なわない程度であればよいから、本実施形態では５０枚としている。
【００２１】
また前記各粘着テープ２のそれぞれの一角には、該粘着テープ２の角部分と対応した三角形状のツマミ５を備えており、このツマミ５は、粘着テープ２の粘着層１０に裏面側を接着されることで、該粘着テープ２から離脱不能に備えられている。さらに、ツマミ５の表面側には、粘着テープ２の残枚数を示す数字６が印刷してある。これにより使用者は、作業の状況に合わせて予め粘着テープ２の残枚数を把握でき、より効率的な作業を行なえる。
尚、本実施形態のテープ貼り具では、各粘着テープ２に印刷された数字６は、表面側の粘着テープ２のものから順に数が減っていくよう設定されている。
【００２２】
そして、本テープ貼り具を実際に使用する場合は図３のように、通し孔３に紐７を通し、さらに衣服（本実施形態の場合にはズボンのベルト１３）に結びつけることで、使用者は両手を常に空けたままの状態で本テープ貼り具を傍らに携帯できる。これにより例えば、使用者は床上のカーペットに付着した埃に対し、ベルト１３から吊り下げた本テープ貼り具のうちの表面側の１枚の粘着テープ２を、ツマミ５を摘んで引き剥がし、さらにミシン線４の部分で切り取ることで、その粘着テープ２の剥離部分Ｆを前記カーペットに押し当てて、埃を吸い付けることが可能となる。
【００２３】
図４は、本携帯用テープ貼り具の類例を示すものであり、このテープ貼り具は、積層にした各粘着テープ２の裏面側に、約１〜２mm厚程度の薄い樹脂板１１を備えたものである。具体的には、通し孔３と一致する箇所に貫通孔１２を開け、各粘着テープ２とともに鳩目８をかしめて一体化したもので、粘着テープ２が衣服等に直接触れないことによって、本テープ貼り具の携帯時における充分な保護がなされる。また、各粘着テープ２の表裏両面共に樹脂板１１を備えるのは、粘着テープ２を保護する観点からは望ましいが、使用時において粘着テープ２の剥離部分Ｆを非剥離部分Ｒから剥がし難くなるので、本実施形態では裏面側にのみ備えている。さらに、前記樹脂板１１には、装飾的な柄絵などを印刷してもよい。
尚、前記樹脂板１１を備える本テープ貼り具の裏面側とは、本テープ貼り具において、粘着テープ２を剥がす側を表面側としたものであり、この場合、本テープ貼り具において衣服と接触する側は、前述した裏面側となる。
【００２４】
以上、本実施形態では、本テープ貼り具を床などの埃取りに使用するケースを想定して説明したが、この他に梱包作業等に使用することもでき、用途を限るものではない。
【図面の簡単な説明】
【００２５】
【図１】本考案の携帯用テープ貼り具を示す斜視図である。
【図２】図１のＡ−Ａ線断面図である。
【図３】本考案の携帯用テープ貼り具の使用状態を示す説明図である。
【図４】本考案の携帯用テープ貼り具の類例を示す、一部を切欠した底面側からの斜視図である。
【符号の説明】
【００２６】
２  粘着テープ
３  通し孔
４  ミシン線（切取線）
５  ツマミ（非粘着部）
６  数字（表示手段）
８  鳩目（補強部材）
１１  樹脂板（板体）
Ｆ  剥離部分
Ｒ  非剥離部分
【図１】
0003101141.tif 000003
【図２】
0003101141.tif 000004
【図３】
0003101141.tif 000005
【図４】
0003101141.tif 000006